(57)【要約】【課題】紙幣判別装置の下方に金種別紙幣収納装置を設け、紙幣判別装置と金種別紙幣収納装置との連結部が互いに正確に位置合わせされる構成とすることによって、紙幣詰まりの生じ難い遊技島の紙幣収納装置を提供する。【解決手段】紙幣判別装置３の下部に設けられた案内部材が金種別紙幣収納装置４の上部に設けられた案内路19に沿って案内されつつ収納されることによって紙幣判別装置３と金種別紙幣収納装置４との収納状態における左右方向の位置合わせを行い、紙幣判別装置３の下部に設けられた係止部材と金種別紙幣収納装置４の上部に設けられた係止部材とを連結機構により係止を行うことによって紙幣判別装置３と金種別紙幣収納装置４との収納状態における奥行き方向の位置合わせを行い、さらに紙幣判別装置３に設けたガイド部材により金種別紙幣収納装置４に対する紙幣判別装置３の傾きを規定するようにした。【選択図】図６
2006127102.tif 000002
【特許請求の範囲】
【請求項１】
遊技島に設けられた遊技媒体貸出機に投入され紙幣搬送装置より搬送される混在紙幣を紙幣判別装置にて金種ごとに分別し、該分別された紙幣をそれぞれ対応する金種別毎の金種別紙幣収納装置内に搬送する遊技島の紙幣収納装置において、前記紙幣判別装置は前記紙幣収納装置内の上方にて奥行き方向に固定されたスライドレールにより移動可能に取付けられ、同様に前記金種別紙幣収納装置は前記紙幣判別装置の下方にて奥行き方向に固定されたスライドレールにより移動可能に取付けられ、前記紙幣判別装置の下部に設けられた案内部材が前記金種別紙幣収納装置の上部に設けられた案内路に沿って案内されつつ収納されることによって前記紙幣判別装置と前記金種別紙幣収納装置との収納状態における左右方向の位置合わせを行い、前記紙幣判別装置の下部に設けられた係止部材と前記金種別紙幣収納装置の上部に設けられた係止部材とを連結機構により係止を行うことによって前記紙幣判別装置と前記金種別紙幣収納装置との収納状態における奥行き方向の位置合わせを行い、さらに前記紙幣判別装置に設けたガイド部材により前記金種別紙幣収納装置に対する前記紙幣判別装置の傾きを規定するようにしたことを特徴とする遊技島の紙幣収納装置。
【発明の詳細な説明】
【技術分野】
【０００１】
本発明は、遊技島に設けられた遊技媒体貸出機に投入された複数金種の紙幣を紙幣搬送装置にて搬送すると共に、搬送された紙幣を紙幣判別装置によって金種毎に分別し、かくして分別された紙幣を金種別紙幣収納装置の内部に金種毎に整列収納するようにした遊技島の紙幣収納装置に係り、紙幣判別装置と金種別紙幣収納装置とを互いに位置合わせした状態で筐体内の所定位置に出し入れ自在に収納することができる遊技島の紙幣収納装置に関する。
【背景技術】
【０００２】
通常、遊技店においては、横方向に複数台の遊技台（例えば、パチンコ台等）と、該遊技台の間に複数の遊技媒体貸出機（例えば、パチンコ玉貸機等）とを配設することにより遊技島を構築している。このような遊技島に配設されたパチンコ台を現金で遊技する現金仕様の遊技島においては、パチンコ台に隣設する箇所に貨幣を投入可能に構成した貨幣式遊技媒体貸出機が設けられている。
【０００３】
このような貨幣式遊技媒体貸出機に投入される貨幣は、従来、千円紙幣が主流であったが、近時においては、千円紙幣以外の紙幣札（複数金種の紙幣）でも貸出し可能な遊技媒体貸出機が設置されるようになっている。
【０００４】
このような遊技媒体貸出機を備えた従来装置としては、特許文献１に開示された「遊技島設備」と称するものが知られている。この装置は、図１３に示すように、各遊技媒体貸出機５１に投入された紙幣を紙幣搬送装置５２にて島５０の一端側に設けられた島管理装置５３内に搬送し、各紙幣を島管理装置５３内の紙幣判別装置で判別した後、紙幣収納装置５４ａ、５４ｂ、５４ｃに移動して金種毎に積み重ねるように整列して収納するようにしたものである。
【０００５】
ところで、上記のように紙幣を金種毎に分別して収納する装置は金種別紙幣収納装置と称されており、近時においては、上記の紙幣判別装置と金種別紙幣収納装置とをユニット化したものが開発され、それぞれを別体で作製した後、紙幣判別装置と共に筐体内に組み込むことにより、それぞれの装置を個別に保守管理したり、補修したりすることができるようにしている。
【０００６】
そのような紙幣判別装置と金種別紙幣収納装置とを別体にユニット化した装置としては、図１４に示すものがある。この装置は、金庫の筐体６１内に制御ボックス６２を備え、紙幣搬送装置（不図示）から紙幣判別装置６３に送られてきた紙幣は該紙幣判別装置６３にて紙幣の金種を判別した後、姿勢変換装置６４で紙幣の姿勢を９０°捻じった状態で金種別紙幣収納装置６５に送られるように構成されている。
【０００７】
上記の構成において、紙幣判別装置６３と姿勢変換装置６４は一体に構成された状態でガイド部材６３ａによって手前に引出し又は収納可能であり、紙幣の詰まりが生じた場合等には手前に引き出すことによって保守管理が可能とされている。さらに、金種別紙幣収納装置６５はガイド部材６５ａによって手前に引出し又は収納可能に構成されている。
【特許文献１】特開平０６−０４０５８９号公報
【発明の開示】
【発明が解決しようとする課題】
【０００８】
上記の構成において、紙幣判別装置と金種別紙幣収納装置とは互いに引き出し可能であるが、それぞれを筐体内に収納した状態において、紙幣判別装置と金種別紙幣収納装置との連結部が正確に合致していない場合、紙幣を紙幣判別装置から金種別紙幣収納装置へ送る紙幣搬送路にずれが生じ、紙幣詰まりの原因となっていた。ところが、上記の図１４に示す従来装置には、紙幣判別装置と金種別紙幣収納装置とを連結する連結部に位置合わせをする手段が設けられておらず、治具による施工によって両者を結合するようにしていたため、これが原因で紙幣搬送路に誤差が生じ、またそれぞれの装置の奥行き方向の位置合わせが微妙であって、紙幣詰まりの大きな原因となっていた。
【０００９】
また、上記の図１４に示す装置において、紙幣判別装置は金種別紙幣収納装置の横側に設けられているため、紙幣収納装置の筐体は幅方向の設置スペースが広く必要となるものであった。従って、紙幣収納装置の幅方向の設置スペースを狭くするには、紙幣判別装置の下方に金種別紙幣収納装置を設けるようにすれば全体が幅狭な筐体となるが、このような縦型の構成においても、紙幣判別装置と金種別紙幣収納装置との連結部の位置合わせが困難であるという問題があった。
【００１０】
本発明は、以上の事情に鑑みてなされたもので、引出し又は収納可能にユニット化された紙幣判別装置と金種別紙幣収納装置とを有する紙幣収納装置において、紙幣判別装置の下方に金種別紙幣収納装置を設けた構成とし、紙幣判別装置と金種別紙幣収納装置との連結部が互いに正確に位置合わせされる構成とすることによって、紙幣詰まりの生じ難い遊技島の紙幣収納装置を提供することを目的とする。
【課題を解決するための手段】
【００１１】
上記の問題を解決するために、本発明の請求項１の遊技島の紙幣収納装置は、遊技島に設けられた遊技媒体貸出機に投入され紙幣搬送装置より搬送される混在紙幣を紙幣判別装置にて金種ごとに分別し、該分別された紙幣をそれぞれ対応する金種別毎の金種別紙幣収納装置内に搬送する遊技島の紙幣収納装置において、前記紙幣判別装置は前記紙幣収納装置内の上方にて奥行き方向に固定されたスライドレールにより移動可能に取付けられ、同様に前記金種別紙幣収納装置は前記紙幣判別装置の下方にて奥行き方向に固定されたスライドレールにより移動可能に取付けられ、前記紙幣判別装置の下部に設けられた案内部材が前記金種別紙幣収納装置の上部に設けられた案内路に沿って案内されつつ収納されることによって前記紙幣判別装置と前記金種別紙幣収納装置との収納状態における左右方向の位置合わせを行い、前記紙幣判別装置の下部に設けられた係止部材と前記金種別紙幣収納装置の上部に設けられた係止部材とを連結機構により係止を行うことによって前記紙幣判別装置と前記金種別紙幣収納装置との収納状態における奥行き方向の位置合わせを行い、さらに前記紙幣判別装置に設けたガイド部材により前記金種別紙幣収納装置に対する前記紙幣判別装置の傾きを規定するようにしたことを特徴とする。
【発明の効果】
【００１２】
上記した本発明の遊技島の紙幣収納装置によれば、紙幣判別装置の下方に金種別紙幣収納装置が配置されているため、金庫の筐体は幅狭な構造となり、設置スペースの面で有利となる。しかも、紙幣判別装置と金種別紙幣収納装置はそれぞれユニット化され、保守管理の際には単独で引き出し及び収納が可能である。
【００１３】
さらに、本発明によれば、紙幣判別装置と金種別紙幣収納装置を金庫の筐体内に収納した状態において、紙幣判別装置と金種別紙幣収納装置との左右方向の位置合わせと、奥行き方向の位置合わせと、金種別紙幣収納装置に対する紙幣判別装置の傾きを規定することができるため、紙幣判別装置と金種別紙幣収納装置との紙幣搬送路を互いに確実に固定して合致させることができ、紙幣詰まりの生じ難い遊技島の紙幣収納装置を得ることが可能となる。
【００１４】
また、上記の紙幣判別装置と金種別紙幣収納装置との正確な位置合わせを実現する部材として、簡単な構成で安価な部材を使用することができるため、製造コストの面でも有利となる。
【発明を実施するための最良の形態】
【００１５】
以下、本発明の実施例について図面を参照しながら説明する。
【実施例１】
【００１６】
図１は、遊技店における遊技島１（例えば、パチンコ遊技島）の一端側に紙幣判別装置や金種別紙幣収納装置を有する金庫２を設けた斜視図である。この図において、遊技島１は、横方向に複数台の遊技台５と、該遊技台５に隣接した位置に複数台の遊技媒体貸出機６（台間玉貸機）とを直線状に配設してあり、遊技島１の一端側には縦長立法形状の金庫２が設置されている。また、遊技媒体貸出機６には、この貸出機本体部側の上方寄りの位置に複数金種紙幣（例えば、千円紙幣、五千円紙幣、一万円紙幣等）を投入可能な貨幣投入口６ａと、その下方に硬貨を投入可能な硬貨投入口６ｂとが設けられている。
【００１７】
上記の遊技媒体貸出機６（台間玉貸機）において、貨幣投入口６ａに投入された紙幣は、貨幣投入口６ａの背後に設けられた横長の紙幣搬送装置７によって一端側の金庫２内に備えた紙幣判別装置へと混在紙幣のまま搬送され、図２に示すように、紙幣判別装置３でそれぞれの紙幣を判別した後に金種別に振り分けて金種別紙幣収納装置４内へ整列収納するように構成されている。
【００１８】
また、図１に示すように、硬貨投入口６ｂに投入された硬貨は、１００円玉と５００円玉とが混在した状態で、硬貨投入口６ｂの下方背後に設けられた硬貨搬送路８を通過して、図２に示す硬貨回収装置９で回収され、該硬貨回収装置９で金種別に振り分けられた後に、５００円硬貨収納部９ａと１００円硬貨収納部９ｂとに収納される。
【００１９】
また、図1に示すように、上記の金庫２の前面には開閉蓋２ａが設けられ、開閉蓋２ａを開けることによってその内部を開放可能としてある。図２は、開閉蓋２ａを取った状況を示す図である。この図において、金庫２の筐体２ｂの上部には、営業中に点灯し、エラー時に点滅するランプ１１が設けられている。また、金庫２内には、上部に島管理装置１２が設けられ、その下方には電源ボックス１３が設けられ、また金庫２のほぼ中央における上方には紙幣判別装置３が設けられている。この紙幣判別装置３の下方には金種別紙幣収納装置４が設けられ、さらにその下方には上記の硬貨回収装置９、５００円硬貨収納部９ａ及び１００円硬貨収納部９ｂが設けられている。
【００２０】
ここで、上記の金庫２内の構成をより詳細に述べると、島管理装置１２は、遊技島１に設置された遊技媒体貸出機６（台間玉貸機）との通信を行い、さらに金種別紙幣収納装置４との通信を行い、回収した紙幣、硬貨の回収金額及び枚数を記録し、表示するようにしたものである。
【００２１】
また、電源ボックス１３は、島管理装置１２、紙幣搬送装置７、金種別紙幣収納装置４、及び紙幣判別装置３に電源を供給するためのものであり、各ユニット毎にスイッチ操作によって電源を供給することができるように構成されている。
【００２２】
また、紙幣判別装置３は、図３に示すようにユニット化された単体をなすものであり、上記の紙幣搬送装置７（図１参照）より長手方向に搬送される紙幣を受け取ることによって混在紙幣の金種判別を行う紙幣判別部１４を備えている。また、この紙幣判別装置３は、上記のように金種判別を行った後、それぞれの紙幣を９０°捻じって下方垂直方向へ送出する姿勢変換部１５を備えている。さらにこの紙幣判別装置３は、上記の紙幣判別部１４にて判別不可能であった汚れ紙幣や重なり紙幣等を収容するリジェクトボックス１６を備えている。さらにまた、この紙幣判別装置３には、後述するように金種別紙幣収納装置４に連通される紙幣判別装置３内の通路に紙幣が詰まった場合、この詰まり紙幣を除去する際に開閉する開閉通路扉１７が設けられている。
【００２３】
図３に示すように、紙幣判別装置３の手前側下端には図４に示す金種別紙幣収納装置４に設けられた搬送連結部１８の溝状の案内路１９に係合する案内部材（以下「連結ローラ２０」とする）が設けられ、また紙幣判別装置３の片側（図３の右側）の下端には、図５(ａ)に示す紙幣判別装置３を固定するための判別装置用台座２１に設けられた連結レバー２２の上側の係止用雄部材２３ａを係止する固定用係止部材２４ａが固設されている。
【００２４】
一方、金種別紙幣収納装置４は上記の紙幣判別装置３の下方に設けられるものであり、図４に示すように、その筐体４ａの左側部には金種別に振分けられた紙幣を整列して収納する紙幣収納部２５ａ、２５ｂ、２５ｃ、２５ｄが四段に積層されてなる金種別収納部２５を構成している。なお、図４の金種別紙幣収納装置４は、複数金種として四金種の紙幣を各紙幣収納部２５ａに収納する構成としているが、このような金種の数に限定される必要はない。また、金種別収納部２５の前面には収納扉２５ｅが開閉自在に設けられ、この収納扉２５ｅを開けることによって、各紙幣収納部２５ａ、２５ｂ、２５ｃ、２５ｄに収納された紙幣を取り出すことができる。
【００２５】
さらに、金種別収納部２５の反対側部に沿って上下に四金種の紙幣に対応して５個の開閉通路扉２６、２６…が設けられている。それぞれの開閉通路扉２６は、その内部の各紙幣収納部２５ａ、２５ｂ、２５ｃ、２５ｄごとに設けられた4個の切替フラップ（不図示）を覆うものであり、上記の紙幣判別装置３から移送された紙幣が詰まった場合、この詰まり紙幣を除去する際にそれぞれの開閉通路扉２６を開いて取り除くことができる。
【００２６】
なお、各開閉通路扉２６の内部は、上記の紙幣判別装置３から送られてきた紙幣が、上記の紙幣判別結果に応じて稼動する切替フラップ（不図示）によってそれぞれの紙幣収納部２５ａ、２５ｂ、２５ｃ、２５ｄへ送られるように構成されている。
【００２７】
また、図４に示すように、金種別紙幣収納装置４の矩形立方体を成す筐体４ａの片側（図４の右側）上面には手前側に紙幣判別装置３との連結を行う搬送連結部１８が設けられ、この搬送連結部１８には奥行き方向に紙幣判別装置３に設けられた後述する連結ローラ２０（図３参照）を案内する溝形状を有する案内路１９が形成されている。また、その後方には固定用係止部材２４ｂが固設され、この固定用係止部材２４ｂが後述する紙幣判別装置３の判別装置用台座２７に設けられた連結レバー２２の下側の係止用雄部材２３ｂを嵌合する構成とされている。
【００２８】
なお、上記の固定用係止部材２４ａ、２４ｂとしては、例えば、連結レバー２２の上下側の係止用雄部材２３ａ、２３ｂが凸形状に形成された部材である場合、夫々の係止用雄部材２３ａ、２３ｂを固定用係止部材２４ａ、２４ｂに設けられたバネの弾性によって嵌合するようにした嵌合構造の部材を使用することにしてもよいが、他の構造の係止部材を使用することも可能である。
【００２９】
本実施例においては、上記の紙幣判別装置３とその下方に設けられる金種別紙幣収納装置４とが互いに位置合わせされた状態で連結されるものである。そのための構成として、紙幣判別装置３は図５(ａ)に示す判別装置用台座２１に固定され、金種別紙幣収納装置４は図５(ｂ)に示す収納装置用台座２７に固定されている。
【００３０】
ここで、説明の便宜上、金種別紙幣収納装置４を固定するための収納装置用台座２７から説明する。図５(ｂ)に示すように、矩形をなす底板２７ａの両側から立ち上げられた収納装置用設置枠２７ｂ、２７ｂのそれぞれの後部はその上方に設けられた幅部材２７ｃの両端で固定されると共に、両側の収納装置用設置枠２７ｂ、２７ｂのそれぞれの下部には奥行方向にスライドレール２８、２８が設けられ、それぞれのスライドレール２８、２８が収納装置用台座２７の両側に設けられたスライドレール２９、２９と連携されることにより（図７参照）、該収納用装置台座２７は上記の底板２７ａに沿ってその上方を手前方向へ引き出し可能とされ、また奥行き方向へ収納可能とされている。
【００３１】
また、底板２７ａの後端に立ち上げられた後部枠２７ｄの中央には台座固定用ロック部材の雄側３０ａが設けられ、不図示であるが収納装置用台座２７の後端中央に台座固定用ロック部材の雌側３０ｂが設けられ、収納装置用台座２７が後方へ移動して台座固定用ロック部材の雄側３０ａと雌側３０ｂが互いに係合されることによって収納装置用台座２７は収納姿勢を固定した状態となる。
【００３２】
このような構成において、図６(ａ)に示すように、収納装置用台座２７の上面に金種別紙幣収納装置４を固定すると共に、収納装置用設置枠２７ｂを金庫２の筐体２ａ内に固定することにより、金種別紙幣収納装置４は金庫２の筐体２ａ内部に設置され、収納装置用台座２７の前端に設けられた引出部材２７ｅを引いたり押し込んだりすることによって、金種別紙幣収納装置４は手前に引き出され、また奥行き方向へ収納される。
【００３３】
一方、図５(ａ)に示す判別装置用台座２１は、側板２１ａの上方側部にて奥行き方向に設けられたスライドレール支持部２１ｂを有すると共に、側板２１ａの下方側部にて奥行き方向に延長された連結レバー２２を有する構成とされている。
【００３４】
この連結レバー２２は判別装置用台座２１の下方水平枠２１ｃの右隅部に支承された支軸３１ａを中心に回動可能であり、支軸３１ａにはコイルバネ３１ｂが設けられ、該コイルバネ３１ｂの一端が係止軸３１ｃに係止されることによって、連結レバー２２は側板２１ａ方向へバネ力で付勢された構造とされている。
【００３５】
また、連結レバー２２の途中には２個の係止用雄部材２３ａ、２３ｂが上下に離間して固定され、上側の係止用雄部材２３ａは上記の紙幣判別装置３の片側下端に設けられた固定用係止部材２４ａに嵌合され、下側の係止用雄部材２３ｂは上記の金種別紙幣収納装置４の固定用係止部材２４ｂに嵌合されるものである。
【００３６】
図６(ａ)に示すように、判別装置用台座２１に紙幣判別装置３を搭載してネジ止めすると共に、紙幣判別装置３側の側部に設けられたスライドレール３２（図３参照）を上記の判別装置用台座２１のスライドレール支持部２１ｂに固定した状態で、この判別装置用台座２１を金庫２の筐体２ａの内側の所定位置にネジ止めによって固定することによって、紙幣判別装置３の一側（図示の右側）が金庫２の筐体２ａの奥行き方向にスライド自在に支持された構成となる。
【００３７】
また、図７に示すように紙幣判別装置３の他側（図示の左側）の下部奥方に設けられたガイド部材（以下「ガイドローラ３３」とする）が上記の金種別紙幣収納装置４の上面４ｂに沿って当接状態で走行することにより、紙幣判別装置３の他側が金種別紙幣収納装置４の筐体の上面にて水平状態で走行可能に支持された構成となる。
【００３８】
そして、このガイドローラ３３と上記のスライドレール３２によって、紙幣判別装置３は判別装置用台座２１に搭載された状態で金庫２の筐体２ａの手前方向に引き出され、また奥行き方向に収納することが可能となる。
【００３９】
上記の構成による紙幣判別装置３と金種別紙幣収納装置４との位置合わせ構造をまとめると、図６(ｂ)又は(ｃ)に示すように、紙幣判別装置３の手前側下端には連結ローラ２０（図３参照）が設けられ、この連結ローラ２０が種別紙幣収納装置４の上部に設けられた搬送連結部１８の溝状の案内路１９に沿って案内されつつ収納されることによって紙幣判別装置３と金種別紙幣収納装置４との収納状態における左右方向の位置合わせを行うことができる。
【００４０】
また、図８(ａ)及び(ｂ)に示すように、連結レバー２２を横方向（図の左方向）へ振ることによって判別装置用台座２１の下部の連結レバー２２に設けられた上側の固定用係止部材２３ａが紙幣判別装置３の下部の固定用係止部材２４ａに嵌合すると共に、連結レバー２２に設けられた下側の固定用係止部材２３ｂが金種別紙幣収納装置４の上部の固定用係止部材２４ｂに嵌合することにより、紙幣判別装置３と金種別紙幣収納装置４との収納状態における奥行き方向の位置合わせを行うことができる。
【００４１】
即ち、連結レバー２２は上記のように固定用係止部材２４ａから遠ざかる方向へバネ力で付勢された状態とされているため、図８(ａ)に示すように固定用係止部材２４ａと上側の係止用雄部材２３ａとが非結合の状態にあるとき、上側の係止用雄部材２３ａは固定用係止部材２４ａから離間した状態にあるが、紙幣判別装置３を押し込んで金庫２の筐体２ｂ（図２参照）内に収納した状態にしてから連結レバー２２を固定用係止部材２４ａの方向へ振ると、図８(ｂ)に示すように、連結レバー２２の上側の係止用雄部材２３ａは紙幣判別装置３の固定用係止部材２４ａに係止されると同時に、連結レバー２２の下側の係止用雄部材２３ｂが金種別紙幣収納装置４の上部に設けられた固定用係止部材２４ｂに係止されるため、紙幣判別装置３と金種別紙幣収納装置４との収納状態における奥行き方向の位置合わせを行うことが可能となる。
【００４２】
さらに、図７に示すように、紙幣判別装置３の片側下部に設けたガイド部材であるガイドローラ３３が、金種別紙幣収納装置４の筐体の上面４ｂに走行可能に支持されているため、このガイドローラ３３による支持状態の高さを設定することによって紙幣判別装置３の傾きを水平状態に規定することができる。
【００４３】
以上のような紙幣判別装置３と金種別紙幣収納装置４との位置合わせ構造によって、紙幣判別装置３と金種別紙幣収納装置４とが互いに金庫２の筐体２ａ内に収納された状態においては、紙幣判別装置３と金種別紙幣収納装置４との連結部が互いに正確に位置合わせされることにより、紙幣判別装置３と金種別紙幣収納装置４との紙幣の搬送路を互いに確実に固定して合致させることができるため、紙幣詰まりの生じ難い構造を得ることが可能となる。
【００４４】
次に、図９及び図１０を用いて、紙幣判別装置３と金種別紙幣収納装置４との制御関係について説明する。図９は、紙幣判別装置３と金種別紙幣収納装置４との制御関係を示す電源配線図である。この図に示すように、紙幣判別装置３を制御するための制御基板３５は金種別紙幣収納装置４の内部に設けられている。
【００４５】
また、電源ボックス１３（図２参照）は、金種別紙幣収納装置４の外部に設けられ、この電源ボックス１３から１００ボルト電源が金種別紙幣収納装置４内に設けられた分配用端子板３６を介して制御基板３５に供給される一方、電源ボックス１３から１００ボルト電源が紙幣搬送装置７及び島管理装置１２へ供給され、また分配用端子板３６から２４ボルトスイッチング電源３８或いは５ボルトスイッチング電源３９を経ることによって２４ボルト電源と５ボルト電源が制御基板３５に供給される。
【００４６】
また、金種別紙幣収納装置４内の分配用端子板３６から１００ボルト電源が紙幣判別装置３内に設けられた判別部ＣＰU用５ボルト基板４１に供給される。また、制御基板３５から紙幣判別装置３内のセンサー部４２に５ボルト電源が供給される一方、制御基板３５から供給される１００ボルト電源が金種別紙幣収納装置４から紙幣判別装置３内に設けられた駆動モータ４３へ供給される。
【００４７】
なお、金種別紙幣収納装置４内においては、さらに制御基板３５から５ボルト電源がセンサー類４４に供給されると共に、１００ボルト電源が駆動モータ４５に供給され、さらに２４ボルト電源がスタックモータ４６に供給される構成とされている。
【００４８】
さらにまた、金種別紙幣収納装置４内の制御基板３５は島管理装置１２との通信を行い、また紙幣判別装置３との通信を行うように接続されている。
【００４９】
図１０は、図９の電源配線図に対応するものであって、電源ボックス１３と金種別紙幣収納装置４と紙幣判別装置３との接続関係を示す配線図であり、図１０(ａ)は金種別紙幣収納装置４の配線交換前の状態を示し、図１０(ｂ)は金種別紙幣収納装置４の配線交換後の状態を示すものである。
【００５０】
上記の装置において、図１０(ａ)に示すように、金種別紙幣収納装置４の正常時においては、電源ボックス１３から供給されるモータ電源を金種別紙幣収納装置４に設けられた制御基板３５を経ることによって紙幣判別装置３に判別電源とモータ電源として供給するようにしている。
【００５１】
これに対して、図１０(ｂ)に示すように、金種別紙幣収納装置４の交換又は補修時においては、電源ボックス１３から供給されるモータ電源を紙幣判別装置３に付け替えること、即ち電源ボックス１３から電源コネクタ３５ａを外して、金種別紙幣収納装置４と紙幣判別装置３とを接続していた電源コネクタ３５ｂを電源ボックス１３に接続することによって、金種別紙幣収納装置４をモータ電源からフリーな状態にすると共に、遊技媒体貸出機６（図１参照）から搬送される混在紙幣は金種別紙幣収納装置４とは別途設けたサブ金庫３４（図２参照）へ誘導するようにした構成としている。
【００５２】
上記の構成により、システムダウン時において、金種別紙幣収納装置４の交換を行う際、紙幣判別装置３は金種別紙幣収納装置４からの制御を受けることがなく、紙幣判別装置３の搬送モータは常時稼動して該紙幣判別装置３へ送られてきた紙幣をサブ金庫３４へ誘導することが可能となる。
【００５３】
また、金種別紙幣収納装置４内に制御基板３５が設けられているため、金種別紙幣収納装置４と制御基板３５とを接続するハーネスが不要となり、金種別紙幣収納装置４を引き出したり収納したりする際にハーネスが断線したり、ハーネスのコネクタに抜けが生じるという不都合を回避することが可能となる。
【００５４】
また、図１１及び図１２は、上記の紙幣判別装置３と金種別紙幣収納装置４との制御関係について他の実施例を図示したものである。図１１に示す電源配線図は、上記の実施例と同様に、紙幣判別装置３を制御するための制御基板３５が金種別紙幣収納装置４の内部に設けられており、上記実施例とほぼ同様の構成であるが、上記の実施例と異なる構成は、金種別紙幣収納装置４内に設けられた制御基板３５と紙幣判別装置３との接続及び切り替えにモータ切替ボックス３７を介在した点にある。
【００５５】
そこで、図１２の電源ボックス１３と金種別紙幣収納装置４と紙幣判別装置３の接続関係を示す配線図を参照しながら上記のモータ切替ボックス３７の機能について説明する。
【００５６】
図１２(ａ)は金種別紙幣収納装置４の正常な状態を示すものであり、この図に示すように、金種別紙幣収納装置４の正常時においては、電源ボックス１３から供給されるモータ電源を金種別紙幣収納装置４に設けられた制御基板３５を経ると共に、該制御基板３５を経たモータ電源と電源ボックス１３から供給される制御電源３５とをモータ切替ボックス３７を経て紙幣判別装置３へ供給する構成としている。
【００５７】
これに対して、図１２(ｂ)は金種別紙幣収納装置４のトラブル時の状態を示すものであり、この図に示すように、金種別紙幣収納装置４の交換又は補修時においては、モータ切替ボックス３７の切り替えによって電源ボックス１３から供給されるモータ電源を金種別紙幣収納装置４を経ずにモータ切替ボックス３７を経て紙幣判別装置３へ供給するようにしている。
【００５８】
このような構成によれば、図９及び図１０に示す構成と同様に、システムダウン時において、金種別紙幣収納装置４の交換を行う際、モータ切替ボックス３７の切替え操作だけで、紙幣判別装置３は金種別紙幣収納装置４からフリーな状態となり、紙幣判別装置３の搬送モータは常時稼動して該紙幣判別装置３へ送られてきた紙幣をサブ金庫３４へ誘導することが可能となる。
【００５９】
さらに、この図１１及び図１２に示す構成においても、金種別紙幣収納装置４内に制御基板３５が設けられているため、金種別紙幣収納装置４と制御基板３５とを接続するハーネスは不要となり、金種別紙幣収納装置４を引き出したり収納したりする際にハーネスが断線したり、ハーネスのコネクタに抜けが生じるという不都合を回避することが可能となる。
【産業上の利用可能性】
【００６０】
本発明は、簡単な構造及び簡素な使用部材により、遊技島の金庫内に収容された紙幣判別装置と金種別紙幣収納装置における紙幣の搬送路を互いに確実に固定して合致させることができるため、紙幣詰まりの生じ難い遊技島の紙幣収納装置として利用することが可能である。
【図面の簡単な説明】
【００６１】
【図１】本発明の実施例１に係る遊技島を示す斜視図である。
【図２】本発明の実施例１に係る金庫の内部を示す前面図である。
【図３】本発明の実施例１に係る紙幣判別装置の斜視図である。
【図４】本発明の実施例１に係る金種別紙幣収納装置の斜視図である。
【図５】(ａ)は本発明の実施例１に係る紙幣判別装置を固定するための判別装置用台座の斜視図、(ｂ)は金種別紙幣収納装置を固定するための判別装置用台座を有する収納装置用設置枠等の斜視図である。
【図６】(ａ)は本発明の実施例１に係る金庫の内部を示す斜視図であり、(ｂ)は紙幣判別装置と金種別紙幣収納装置との連結部を示す部分拡大図であり、(ｃ)は搬送連結部の斜視図である。
【図７】本発明の実施例１に係る紙幣判別装置と金種別紙幣収納装置とを連結した状態を示す前面図である。
【図８】(ａ)は本発明の実施例１に係る判別装置用台座に設けられた連結レバーの上側と上側の係止用雄部材を金種別紙幣収納装置の固定用係止部材に係止する前の状態を示す部分拡大斜視図であり、(ｂ)は連結レバーの上側と上側の係止用雄部材を金種別紙幣収納装置の固定用係止部材に係止した状態を示す部分拡大斜視図である。
【図９】本発明の実施例１に係る遊技島の紙幣収納装置に関する電源配線図である。
【図１０】本発明の実施例１に係る金種別紙幣収納装置と紙幣判別装置と電源ボックスとの接続関係を示す回路図であり、(ａ)は金種別紙幣収納装置の配線交換前の状態を示し、(ｂ)は金種別紙幣収納装置の配線交換後の状態を示す。
【図１１】本発明の実施例１に係る遊技島の紙幣収納装置に関するモータ切替ボックスを用いた電源配線図である。
【図１２】本発明の実施例１に係る金種別紙幣収納装置と紙幣判別装置と電源ボックスとの接続関係であってモータ切替ボックスを用いた回路図であり、(ａ)は金種別紙幣収納装置の配線交換前の状態を示し、(ｂ)は金種別紙幣収納装置の配線交換後の状態を示す。
【図１３】特許文献1に係る遊技島の斜視図である。
【図１４】従来装置に係る金庫の内部を示す前面図である。
【符号の説明】
【００６２】
１…遊技島
２…金庫
２ａ…金庫の開閉蓋
２ｂ…金庫の筐体
３…紙幣判別装置
４…金種別紙幣収納装置
５…遊技台
６…遊技媒体貸出機
６ａ…貨幣投入口
６ｂ…硬貨投入口
７…紙幣搬送装置
８…硬貨搬送路
９…硬貨回収装置
９ａ…５００円硬貨収納部
９ｂ…１００円硬貨収納部
１１…ランプ
１２…島管理装置
１３…電源ボックス
１４…紙幣判別部
１５…姿勢変換部
１６…リジェクトボックス
１７…開閉通路扉
１８…搬送連結部
１９…案内路
２０…連結ローラ
２１…判別装置用台座
２２…連結レバー
２３ａ…上側の係止用雄部材
２３ｂ…下側の係止用雄部材
２４ａ、２４ｂ…固定用係止部材
２５…金種別収納部
２５ａ、２５ｂ、２５ｃ、２５ｄ…紙幣収納部
２５ｅ…収納扉
２６…開閉通路扉
２７…判別装置用台座
２７ａ…底面
２７ｂ…収納装置用設置枠
２８、２９…スライドレール
３０ａ…台座固定用ロック部材の雄側
３０ｂ…台座固定用ロック部材の雌側
３１ａ…支軸
３１ｂ…コイルバネ
３１ｃ…係止軸
３２…スライドレール
３３…ガイドローラ
３４…サブ金庫
３５…制御基板
３５ａ、３５ｂ…電源コネクタ
３６…分配用端子板
３７…モータ切替ボックス
３８…２４ボルトスイッチング電源
３９…５ボルトスイッチング電源
４１…判別部ＣＰU用５ボルト基板
４２…センサー部
４３…駆動モータ
４４…センサー類
４５…駆動モータ
４６…スタックモータ
【図１】
2006127102.tif 000003
【図２】
2006127102.tif 000004
【図３】
2006127102.tif 000005
【図４】
2006127102.tif 000006
【図５】
2006127102.tif 000007
【図６】
2006127102.tif 000008
【図７】
2006127102.tif 000009
【図８】
2006127102.tif 000010
【図９】
2006127102.tif 000011
【図１０】
2006127102.tif 000012
【図１１】
2006127102.tif 000013
【図１２】
2006127102.tif 000014
【図１３】
2006127102.tif 000015
【図１４】
2006127102.tif 000016